(57)【要約】【課題】本発明は、撮像装置及び撮像素子の集積回路に関し、例えば動画による撮像結果を記録するビデオカメラ、電子スチルカメラ、監視装置等に適用して、ＣＭＯＳ固体撮像素子等の撮像素子の特徴である撮像結果の読み出しに係る高い自由度を有効に利用して、全体構成を一段と簡略化することができるようにする。またＣＭＯＳ固体撮像素子の特徴である撮像結果の読み出しに係る高い自由度を有効に利用して、従来に比して簡易な処理により、より適切にレート制御することができるようにする。【解決手段】本発明は、撮像手段３の撮像面とは逆側の面に形成された配線層により撮像手段３と画像圧縮手段５とを接続して一体化するようにして、撮像手段３から画像圧縮処理に係る処理単位により順次撮像結果Ｓ１を出力する。また事前に、有効画像領域の一部領域でデータ圧縮処理による発生符号量を検出し、この発生符号量によりデータ圧縮率を可変して撮像結果をデータ圧縮処理する。【選択図】図１
2010252396.tif 000002
【特許請求の範囲】
【請求項１】
複数の光電変換部がマトリックス状に配置され、ＸＹアドレス制御により撮像結果を出力する撮像手段と、
前記撮像手段の受光面とは逆側の面に形成された配線層により前記光電変換部と接続されて、前記撮像手段と一体に保持された周辺回路とを有し、
前記撮像手段による撮像結果を前記周辺回路により処理して出力する撮像装置であって、
前記周辺回路は、
前記撮像結果に対して、少なくともライン単位またはタイル単位のうちのいずれかを処理単位としてウエーブレット変換の処理が可能なウエーブレット変換手段を有し、
前記撮像手段は、前記ウエーブレット変換の処理における処理単位に応じた順番で撮像結果を前記周辺回路に出力する制御を行う
撮像装置。
【請求項２】
前記周辺回路は、
前記ウエーブレット変換手段の後段にエントロピー符号化手段を有し、
前記エントロピー符号化手段は、
前記処理単位によりエントロピー符号化処理を施し、生成された符号化データを出力する
請求項１に記載の撮像装置。
【請求項３】
前記周辺回路に出力された前記撮像結果は、直接、前記ウエーブレット変換手段に入力される
請求項１に記載の撮像装置。
【発明の詳細な説明】
【技術分野】
【０００１】
本発明は、撮像装置及び撮像素子の集積回路に関し、例えば動画による撮像結果を記録するビデオカメラ、電子スチルカメラ、監視装置等に適用することができる。本発明は、撮像手段の撮像面とは逆側の面に形成された配線層により撮像手段と画像圧縮手段とを接続して一体化するようにして、撮像手段から画像圧縮処理に係る処理単位により順次撮像結果を出力することにより、ＣＭＯＳ固体撮像素子等の撮像素子の特徴である撮像結果の読み出しに係る高い自由度を有効に利用して、全体構成を一段と簡略化することができるようにする。また事前に、有効画像領域の一部領域でデータ圧縮処理による発生符号量を検出し、この発生符号量によりデータ圧縮率を可変して撮像結果をデータ圧縮処理することにより、ＣＭＯＳ固体撮像素子の特徴である撮像結果の読み出しに係る高い自由度を有効に利用して、従来に比して簡易な処理により、より適切にレート制御することができるようにする。
【背景技術】
【０００２】
従来、ビデオカメラにおいては、ＣＣＤ（Charge Coupled Device ）固体撮像素子より出力される撮像結果をフレームメモリにバッファリングしてＭＰＥＧ（Moving Picture Experts Group）の手法によりブロック単位でデータ圧縮するようになされている。また電子スチルカメラにおいては、同様に、ＣＣＤ固体撮像素子より出力される撮像結果をフレームメモリにバッファリングし、ＪＰＥＧ（Joint Photographic Coding Experts Group）の手法によりブロック単位でデータ圧縮するようになされている。
【０００３】
これに対して近年、ＣＭＯＳ固体撮像素子が実用に供されるようになされている。ここでＣＣＤ固体撮像素子との対比により図１２に示すように、ＣＭＯＳ固体撮像素子は、種々の特徴を有し、例えばＣＣＤ固体撮像素子においては、電荷の蓄積開始、終了時間が全画素で同一であるのに対し、ＣＭＯＳ固体撮像素子は、電荷の蓄積開始、終了時間がコラム又は画素単位に別時刻であるとの特徴がある。
【０００４】
特に、図１３に示すように、ＣＣＤ固体撮像素子がシリアル伝送により各画素の撮像結果を読み出すのに対し、ＣＭＯＳ固体撮像素子は、図１４に示すように、Ｘ−Ｙアドレス制御により各画素の撮像結果を読み出すことができ、これによりＣＣＤ固体撮像素子に比して、撮像結果の読み出しに関して高い自由度を有する特徴がある。しかして図１３は、ＣＣＤ固体撮像素子からの撮像結果の出力を示す模式図であり、ＣＣＤ固体撮像素子では、各画素に保持された蓄積電荷を垂直転送レジスタに転送し、この垂直転送レジスタに転送した蓄積電荷を水平転送レジスタに順次転送しながら水平転送レジスタにより順次転送して出力する。これに対して図１４は、ＣＭＯＳ固体撮像素子からの撮像結果の出力を示す模式図であり、コラム線単位で順次各画素による撮像結果を出力する場合であり、この場合、コラム線の数の分だけ同時並列的に撮像結果を出力することができる。
【０００５】
このようなＣＭＯＳ固体撮像素子については、例えば特開２００４−３１７８５号公報等に、周辺回路と一体化する構成が提案されるようになされている。
【０００６】
これに対してこのような画像データの処理に係る符号化方式として、近年、ウエーブレット変換処理を用いた符号化方法が種々に提案されるようになされている。ここでウエーブレット変換処理においては、水平方向及び垂直方向について、それぞれ周波数の高い成分と周波数の低い成分とに画像データを帯域分割してそれぞれダウンサンプリングすることにより、画像データを４つのサブバンドに分割して処理する方法であり、例えば図１５（Ａ）に示すように、このような分割処理を１回だけ実行して４つのサブバンドＨＨ、ＨＬ、ＬＨ、ＬＬにより画像データを処理する場合、さらには図１５（Ｂ）に示すように、これらの帯域分割の処理を繰り返して画像データを処理する場合等がある。なおこの図１５（Ｂ）は、帯域分割の処理を３回繰り返した場合であり、サブバンドＨＨ、ＨＬ、ＬＨ、ＬＬのうち水平方向及び垂直方向に周波数の低いサブバンドＬＬについて、さらに帯域分割の処理を実行して４つのサブバンドＬＬＨＨ、ＬＬＨＬ、ＬＬＬＨ、ＬＬＬＬを生成し、この４つのサブバンドＬＬＨＨ、ＬＬＨＬ、ＬＬＬＨ、ＬＬＬＬのうち水平方向及び垂直方向に周波数の低いサブバンドＬＬＬＬについて、さらに帯域分割の処理を実行して４つのサブバンドＬＬＬＬＨＨ、ＬＬＬＬＨＬ、ＬＬＬＬＬＨ、ＬＬＬＬＬＬとした例である。
【０００７】
このようなウエーブレット変換処理による符号化処理においては、画像データをライン単位で処理するいわゆるラインベース型ウエーブレット変換と、１画面を分割して設定された矩形ブロックであるタイル単位で画像データを処理するいわゆるタイルベース型ウエーブレット変換とが提案されるようになされている。
【０００８】
ところでＣＭＯＳ固体撮像素子の特徴である撮像結果の読み出しに係る高い自由度を有効に利用することができれば、撮像装置の全体構成を一段と簡略化することができると考えられる。また従来に比して簡易な処理により、より適切にレート制御することができると考えられる。因みに、画像においては、各部で符号化の困難度が相違することにより、従来のＭＰＥＧの手法により符号化処理する場合にあっては、例えばＴＭ５（Test Mode 5）等の手法により細かくレート制御するようになされている。
【先行技術文献】
【特許文献】
【０００９】
【特許文献１】特開２００４−３１７８５号公報
【発明の概要】
【発明が解決しようとする課題】
【００１０】
本発明は以上の点を考慮してなされたもので、ＣＭＯＳ固体撮像素子の特徴である撮像結果の読み出しに係る高い自由度を有効に利用して、全体構成を一段と簡略化することができる撮像装置及び撮像素子の集積回路を提案しようとするものである。またＣＭＯＳ固体撮像素子の特徴である撮像結果の読み出しに係る高い自由度を有効に利用して、従来に比して簡易な処理により、より適切にレート制御することができる撮像装置及び撮像素子の集積回路を提案しようとするものである。
【課題を解決するための手段】
【００１１】
かかる課題を解決するため本発明においては、複数の光電変換部がマトリックス状に配置され、ＸＹアドレス制御により撮像結果を出力する撮像手段と、撮像手段の受光面とは逆側の面に形成された配線層により光電変換部と接続されて、撮像手段と一体に保持された周辺回路とを有し、撮像手段による撮像結果を周辺回路により処理して出力する撮像装置に適用して、周辺回路は、少なくとも撮像結果を所定の処理単位毎にデータ圧縮して出力する画像圧縮手段を有し、撮像手段は、周辺回路における撮像結果の処理単位毎に、複数の光電変換部による撮像結果を順次出力する。
【００１２】
また本発明においては、複数の光電変換部がマトリックス状に配置され、ＸＹアドレス制御により撮像結果を出力する撮像手段と、撮像手段の受光面とは逆側の面に形成された配線層により光電変換部と接続されて、撮像手段と一体に保持された周辺回路とを有し、撮像手段による撮像結果を周辺回路により処理して出力する撮像装置に適用して、周辺回路は、撮像結果をデータ圧縮して出力する画像圧縮手段を少なくとも有し、撮像手段から、事前に、有効画像領域の一部領域から撮像結果を取得すると共に、該取得した撮像結果をデータ圧縮して符号量を検出し、該検出した符号量に基づいたデータ圧縮率により、撮像結果をデータ圧縮する。
【００１３】
また本発明においては、複数の光電変換部がマトリックス状に配置され、ＸＹアドレス制御により撮像結果を出力する撮像手段と、撮像手段の受光面とは逆側の面に形成された配線層により光電変換部と接続されて、撮像手段と一体に保持された周辺回路とを有し、撮像手段による撮像結果を周辺回路により処理して出力する撮像素子の集積回路に適用して、周辺回路は、少なくとも撮像結果を所定の処理単位毎にデータ圧縮して出力する画像圧縮手段を有し、撮像手段は、周辺回路における撮像結果の処理単位毎に、複数の光電変換部による撮像結果を順次出力する。
【００１４】
また本発明においては、複数の光電変換部がマトリックス状に配置され、ＸＹアドレス制御により撮像結果を出力する撮像手段と、撮像手段の受光面とは逆側の面に形成された配線層により光電変換部と接続されて、撮像手段と一体に保持された周辺回路とを有し、撮像手段による撮像結果を周辺回路により処理して出力する撮像素子の集積回路に適用して、周辺回路は、撮像結果をデータ圧縮して出力する画像圧縮手段を少なくとも有し、撮像手段から、事前に、有効画像領域の一部領域から撮像結果を取得すると共に、該取得した撮像結果をデータ圧縮して符号量を検出し、該検出した符号量に基づいたデータ圧縮率により、撮像結果をデータ圧縮する。
【００１５】
本発明に係る、複数の光電変換部がマトリックス状に配置され、ＸＹアドレス制御により撮像結果を出力する撮像手段と、撮像手段の受光面とは逆側の面に形成された配線層により光電変換部と接続されて、撮像手段と一体に保持された周辺回路とを有し、撮像手段による撮像結果を周辺回路により処理して出力する撮像装置においては、受光面とは逆側の面に形成された配線層により撮像手段の光電変換部と周辺回路とが接続されていることにより、配線層を受光面側に設ける場合の種々の不都合を有効に回避して、高い自由度により光電変換部と周辺回路とを接続することができ、これにより撮像結果の読み出しに係る撮像手段の高い自由度を損なうことなく、種々の形態により撮像手段の撮像結果を周辺回路に供給することができる。この構成を前提に、本発明により、周辺回路は、少なくとも撮像結果を所定の処理単位毎にデータ圧縮して出力する画像圧縮手段を有し、撮像手段は、周辺回路における撮像結果の処理単位毎に、複数の光電変換部による撮像結果を順次出力すれば、撮像手段による撮像結果を順次処理してデータ圧縮することができ、これにより撮像結果の読み出しに係る撮像手段の高い自由度を有効に利用して、データ圧縮処理に係るメモリの容量を少なくすることができ、その分、全体構成を簡略化することができる。
【００１６】
また本発明に係る、複数の光電変換部がマトリックス状に配置され、ＸＹアドレス制御により撮像結果を出力する撮像手段と、撮像手段の受光面とは逆側の面に形成された配線層により光電変換部と接続されて、撮像手段と一体に保持された周辺回路とを有し、撮像手段により撮像結果を周辺回路により処理して出力する撮像装置においては、受光面とは逆側の面に形成された配線層により撮像手段の光電変換部と周辺回路とが接続されていることにより、配線層を受光面側に設ける場合の種々の不都合を有効に回避して、高い自由度により光電変換部と周辺回路とを接続することができ、これにより撮像結果の読み出しに係る撮像手段の高い自由度を損なうことなく、種々の形態により撮像手段の撮像結果を周辺回路に供給することができる。この構成を前提に、本発明により、周辺回路は、撮像結果をデータ圧縮して出力する画像圧縮手段を少なくとも有し、撮像手段から、事前に、有効画像領域の一部領域から撮像結果を取得すると共に、該取得した撮像結果をデータ圧縮して符号量を検出し、該検出した符号量に基づいたデータ圧縮率により、撮像結果をデータ圧縮すれば、事前の処理に係る符号量により高い精度でレート制御することができる。これにより撮像結果の読み出しに係る高い自由度を有効に利用して、従来に比して簡易な処理により、より適切にレート制御することができる。
【００１７】
これにより本発明によれば、撮像結果の読み出しに係る高い自由度を有効に利用して、全体構成を一段と簡略化することができる撮像素子の集積回路を提供することができる。
【００１８】
また本発明によれば、撮像結果の読み出しに係る高い自由度を有効に利用して、従来に比して簡易な処理により、より適切にレート制御することができる撮像素子の集積回路を提供することができる。
【発明の効果】
【００１９】
本発明によれば、撮像結果の読み出しに係る高い自由度を有効に利用して、全体構成を一段と簡略化することができる。また撮像結果の読み出しに係る高い自由度を有効に利用して、従来に比して簡易な処理により、より適切にレート制御することができる。
【図面の簡単な説明】
【００２０】
【図１】本発明の実施例１に係る撮像装置を示すブロック図である。
【図２】図１の撮像装置におけるウエーブレット変換部の説明に供する略線図である。
【図３】図１の撮像装置におけるウエーブレット変換部における帯域分割の説明に供する略線図である。
【図４】図１の撮像装置におけるウエーブレット変換部における処理によるラインバッファ用の係数の説明に供する略線図である。
【図５】図１の撮像装置に適用される集積回路を示す断面図である。
【図６】本発明の実施例２に係る撮像装置におけるウエーブレット変換部の説明に供する略線図である。
【図７】本発明の実施例３に係る撮像装置に適用される集積回路の一部を示す斜視図である。
【図８】図７の集積回路による撮像結果の出力の説明に供する略線図である。
【図９】図７の集積回路による撮像結果の出力順序の説明に供する略線図である。
【図１０】本発明の実施例４に係る撮像装置を示すブロック図である。
【図１１】図１０の撮像装置におけるデータ圧縮処理の説明に供する平面図である。
【図１２】撮像素子の比較を示す図表である。
【図１３】ＣＣＤ固体撮像素子による出力を示す模式図である。
【図１４】ＣＭＯＳ固体撮像素子による出力を示す模式図である。
【図１５】ウエーブレット変換処理の説明に供する略線図である。
【発明を実施するための形態】
【００２１】
以下、適宜図面を参照しながら本発明の実施例を詳述する。
【実施例１】
【００２２】
（１）実施例の構成
図１は、本発明の実施例１に係る撮像装置を示すブロック図である。この撮像装置１は、所望の被写体の撮像結果をデータ圧縮して記録媒体に記録し、また所望の伝送対象に送出する。
【００２３】
ここでこの撮像装置１において、レンズ２は、ユーザーによる操作に応動してズーム倍率、絞りを可変して撮像素子３の撮像面に入射光を集光する。光学ローパスフィルタＡ１は、このレンズ２の出射光より空間周波数の高い成分を抑圧し、続く色補正フィルタＡ２は、光学ローパスフィルタＡ１から出射される出射光の色温度を補正して出射する。
【００２４】
撮像素子３は、例えばＣＭＯＳ固体撮像素子により形成され、図示しない駆動部から出力される各種タイミング信号により動作して、撮像面に形成された光学像を各画素により光電変換して撮像信号Ｓ１を出力する。この処理において、撮像素子３は、後段のデータ圧縮手段における符号化処理の順序に対応する順序により、各画素の撮像結果を出力する。具体的に、この実施例においては、画像圧縮部５においてラインベース型ウエーブレット変換処理によりライン単位で符号化処理することにより、撮像素子３は、全画素ライン順次によりライン単位で撮像結果を出力する。これによりこの実施例では、後段の処理回路における撮像結果の処理単位毎に撮像結果を出力して、後述するように、この撮像信号Ｓ１の処理に供するメモリ回路の構成を簡略化できるようになされている。
【００２５】
アナログディジタル変換回路（ＡＤ）４は、この撮像信号Ｓ１をアナログディジタル変換処理して画像データＤ１を出力する。この撮像装置１は、図示しない信号処理回路によりこの画像データＤ１を画素補間処理、色空間変換処理、エッジ強調処理、ノイズ除去処理等した後、画像圧縮部８に入力する。
【００２６】
画像圧縮部５は、この画像データＤ１をデータ圧縮して符号化処理し、その処理結果による符号化データＤ２を記録系、伝送系に出力し、これによりこの撮像装置１では、この記録系により所定の記録媒体に符号化データＤ２を記録し、またこの伝送系により符号化データＤ２を外部機器に伝送するようになされている。画像圧縮部５は、ウエーブレット変換の手法を適用してこのデータ圧縮の処理を実行する。
【００２７】
すなわちこの画像圧縮部５において、ウエーブレット変換部６は、順次入力される画像データＤ１をウエーブレット変換処理し、その処理結果による変換係数データＤ３を出力する。ここでウエーブレット変換部６は、いわゆるラインベース型ウエーブレット変換処理によりライン単位でウエーブレット変換の処理を実行する。
【００２８】
ここで１段階の帯域分割処理を図２に示すように、ウエーブレット変換部６は、垂直方向に所定タップ数を有するローパスフィルタ６Ａ及びハイパスフィルタ６Ｂにより画像データＤ１を２つの帯域成分VＬ、VＨに帯域制限した後、各帯域成分VＬ、VＨを水平方向に所定タップ数を有するローパスフィルタ６Ｃ及びハイパスフィルタ６Ｄ、ローパスフィルタ６Ｅ及びハイパスフィルタ６Ｆにより帯域成分してサブバンドＬＬ〜ＨＨを生成する。これによりウエーブレット変換部６は、各帯域分割処理に係る入力段のローパスフィルタ６Ａ及びハイパスフィルタ６Ｂのタップ数の分だけ、ラインバッファ７により帯域分割処理に供する入力画像データＤ１を一時保持して出力するようになされている。
【００２９】
ウエーブレット変換部６は、図３に示すように、このような帯域分割の処理を３段階により実行するようになされ、これにより各帯域分割処理によりウエーブレット変換係数ＨＨ〜ＬＬＬＬＬＬを続く後段の処理回路により処理するようにして、これら各帯域分割処理の入力段にそれぞれ対応するラインバッファ７Ａ〜７Ｃが設けられ、先頭段のラインバッファ７Ａにアナログディジタル変換回路４から出力される画像データが直接入力されるようになされている。
【００３０】
またこれらの処理により、これらラインバッファ７Ａ〜７Ｃには、図４に示すようにウエーブレット変換係数のデータが蓄積されることになり、画像データＤ１に係る１枚のフレームの処理を開始した後、これらラインバッファ７Ａ〜７Ｃにデータが蓄積されると、それぞれ対応する係数データを出力するようになされている。
【００３１】
すなわち図３において、１フレームの処理を開始してライン順次により先頭段のラインバッファ７Ａに画像データＤ１を入力して、このラインバッファ７Ａに続く垂直フィルタのタップ数に係る画像データＤ１が蓄積されると、このラインバッファ７Ａから垂直フィルタのタップ数による画像データＤ１の同時並列的な出力がライン順次により開始され、これにより続く垂直フィルタ６ＡＡ、６ＢＡで垂直方向に係る帯域制限の処理、ダウンサンプリングの処理がライン順次により開始される。これによりウエーブレット変換部６においては、垂直フィルタ６ＡＡ、６ＢＡからライン数を約１／２に低減してなるライン順次により垂直方向の帯域制限に係る変換係数データが出力され、この変換係数データが水平方向のローパスフィルタ及びハイパスフィルタに入力される。
【００３２】
ここでウエーブレット変換部６においては、この水平方向のローパスフィルタ及びハイパスフィルタにおいて、各ラインで、これらフィルタのタップ数の分だけ、係数変換データが各フィルタに入力されると、正しい変換係数データによる水平方向への帯域制限の処理、ダウンサンプリングの処理が開始され、この正しい変換係数データによる帯域制限の処理がこのラインの末尾側、フィルタのタップ数に係るサンプリング数まで継続される。これによりこの１段目の帯域制限の処理にあっては、ラインを単位にして順次実行される。
【００３３】
またこのようにして得られる１段目の帯域制限処理による変換係数データのうち、水平方向及び垂直方向に周波数の低い側の変換係数データＬＬが２段目の帯域制限処理に係るラインバッファ７Ｂに入力され、ここでもこのラインバッファ７Ｂに続く垂直フィルタのタップ数に係る変換係数データが蓄積されると、このラインバッファ７Ｂからの同時並列的な変換係数データの出力により、続く垂直フィルタ６ＡＢ、６ＢＢで正しい変換係数データに係る帯域制限の処理、ダウンサンプリングの処理がライン順次により開始され、さらにライン数を約１／２に低減してなるライン順次により垂直方向の帯域制限に係る変換係数データが出力され、この変換係数データが水平方向のローパスフィルタ及びハイパスフィルタに入力される。この２段目の水平方向のローパスフィルタ及びハイパスフィルタにおいても、各ラインにおいて、これらフィルタのタップ数の分だけ、係数変換データが各フィルタに入力されると、正しい変換係数データによる水平方向への帯域制限の処理、ダウンサンプリングの処理が開始され、これによりこの２段目の帯域制限の処理にあってもラインを単位にして順次実行される。
【００３４】
またこの２段目の帯域制限処理による変換係数データのうち、水平方向及び垂直方向に周波数の低い側の変換係数データＬＬＬＬが３段目の帯域制限処理に係るラインバッファ７Ｃに入力されて、続く垂直フィルタのタップ数に係る変換係数データが蓄積されると、このラインバッファ７Ｃからの同時並列的な変換係数データの出力により、続く垂直フィルタ６ＡＣ、６ＢＣで正しい変換係数データに係る帯域制限の処理、ダウンサンプリングの処理がライン順次により開始され、さらにライン数を約１／２に低減してなるライン順次により垂直方向の帯域制限に係る変換係数データが出力され、この変換係数データが水平方向のローパスフィルタ及びハイパスフィルタに入力される。この３段目の水平方向のローパスフィルタ及びハイパスフィルタにおいても、各ラインにおいて、これらフィルタのタップ数の分だけ、係数変換データが各フィルタに入力されると、正しい変換係数データによる水平方向への帯域制限の処理、ダウンサンプリングの処理が開始され、これによりこの３段目の帯域制限の処理にあってもラインを単位にして順次実行される。
【００３５】
これらによりこの実施例において、ウエーブレット変換部６は、ライン単位により画像データを処理して、各分割処理の入力側に設けるメモリ回路であるラインバッファの容量を小型化して全体構成を簡略化するようになされている。
【００３６】
量子化部８は、このようにしてウエーブレット変換部６から出力される変換係数データＤ３を順次量子化処理して出力し、エントロピー符号化部９は、この量子化部８の出力データを順次エントロピー符号化処理して出力する。レート制御部１０は、このエントロピー符号化部９の出力データをレート制御して符号化データＤ２を出力する。これらの処理において、量子化部８、エントロピー符号化部９は、上述したようにしてウエーブレット変換部６のラインバッファ７Ａ〜７Ｃに変換係数データが蓄積されて対応する係数データが出力されるタイミングで、ウエーブレット変換部６から出力される係数データＤ３を順次処理し、これによりこの実施例においては、量子化部８、エントロピー符号化部９においても、ライン単位により処理を実行して、量子化部８、エントロピー符号化部９の構成を簡略化するようになされている。
【００３７】
しかしてこれらにより画像圧縮部５は、全体としてライン単位で画像データＤ１をデータ圧縮処理するようになされ、撮像素子３においては、このような画像圧縮部５のライン単位の処理に対応してライン単位により撮像結果を出力するように、さらには各ラインにおいては、画像圧縮部５の処理順序により撮像結果を出力するようにして、直接、アナログディジタル変換回路４から出力される画像データＤ１を画像圧縮部５に入力するようになされ、これによっても全体構成を簡略化することができるようになされている。
【００３８】
図５は、この撮像装置１に適用される集積回路の一部を示す断面図である。ここでこの集積回路５１は、撮像素子３と周辺回路とを一体化して形成され、この実施例においては、この一体化に係る周辺回路に、撮像素子３の駆動回路、アナログディジタル変換回路４、画像圧縮部５が適用される。これによりこの実施例に係る撮像装置においては、全体構成を簡略化するようになされている。
【００３９】
集積回路５１は、画素部をマトリックス状に配置して撮像素子部が形成され、この撮像素子部により撮像素子３が形成される。またこの撮像素子部の周囲に周辺回路部が形成される。これにより図５は、この撮像素子部と周辺回路部との一部を示す断面図である。
【００４０】
集積回路５１は、１０〜２０〔μｍ〕程度の厚さのシリコン（Ｓｉ）層により素子層５２が形成され、画素部においては、この素子層５２に、画素単位の光電変換処理に係るフォトダイオード５３が形成され、周辺回路部においては、この素子層５２の下層側に、周辺回路を構成するＭＯＳＦＥＴ等の各回路素子が形成される。
【００４１】
集積回路５１は、この素子層５２の上層に、順次、シリコン酸化（ＳｉＯ2）膜５４、遮光膜５５、シリコン窒化膜（ＳｉＮ）５６、色フィルタＡ２７、マイクロレンズ５８が積層される。またこの素子層５２の下層に、フォトダイオード５３、周辺回路の回路素子を配線する配線層５９が形成され、この配線層５９の下層側に、全体を保持する基板支持材６０が設けられる。これにより集積回路５１は、受光面とは逆側に配線層５９が設けられるようになされ、配線層を受光面側に設ける場合の種々の不具合を一挙に解決して配線の自由度を格段に向上するようになされている。なおこのように配線層を受光面側に設ける不具合にあっては、配線層を形成する配線による各画素への入射光量の減少、隣接画素へのクロストーク等がある。
【００４２】
なお集積回路５１は、このように受光面とは逆側に配線層５９が形成されることにより、厚さの薄い半導体基板を配線層５９側より処理してフォトダイオード５３、周辺回路の回路素子を形成した後、この半導体基板に配線層５９、基板支持材６０を順次形成し、その後、この半導体基板を裏返してＣＭＰにより研磨して素子層５２が完成し、遮光膜５５、シリコン窒化膜（ＳｉＮ）５６、色フィルタＡ２７、マイクロレンズ５８を順次形成して作成されるようになされている。
【００４３】
これらによりこの撮像装置１は、撮像素子３と周辺回路とを一体に集積回路化することを前提に、このように受光面とは逆側に配線層５９を形成して、配線の自由度が格段的に向上する点を有効に利用して、データ圧縮処理に対応する処理単位であるライン単位で、さらにはこのデータ圧縮処理に対応する順序より撮像素子３から撮像結果を出力して処理できるように配線し、全体構成を簡略化するようになされている。
【００４４】
（２）実施例の動作
以上の構成において、この撮像装置１では、レンズ２により撮像素子３の撮像面に被写体の画像が形成され、この画像の撮像結果が撮像素子３より出力されてアナログディジタル変換回路４により画像データＤ１に変換される。この画像データＤ１は、エッジ強調等の処理が実行された後、画像圧縮部８によりデータ圧縮されて符号化データＤ２に変換され、この符号化データＤ２が記録媒体に記録され、さらには外部機器に伝送される。これにより撮像装置１では、撮像結果をデータ圧縮して記録し、また伝送するようになされている。
【００４５】
これら一連の処理において、画像データＤ１は、画像圧縮部８においてウエーブレット変換処理によりウエーブレット変換係数データＤ３に変換処理された後、このウエーブレット変換係数データＤ３が量子化処理、エントロピー符号化処理、レート制御されて符号化データＤ２により出力される。このとき撮像素子３から出力される撮像結果である撮像信号Ｓ１が、このような画像圧縮部５における処理単位毎に、順次出力され、これによりアナログディジタル変換回路４から出力される画像データＤ１においては、直接、画像圧縮部５に入力してデータ圧縮処理することができ、これにより全体構成を簡略化することができる。
【００４６】
しかしてＣＭＯＳ固体撮像素子による撮像素子３においては、ＸＹアドレス制御により撮像結果を出力することにより、撮像結果の読み出しに高い自由度を有し、これによりラインを単位にしたライン順次による撮像結果の出力のみならず、例えばコラム線を単位にした撮像結果の出力、所定ブロックを単位にした撮像結果の出力等、種々の形態により撮像手段の撮像結果を出力することができる。これによりこの実施例では、この撮像結果の出力を画像圧縮部５における処理単位毎により実行するようにし、ＣＭＯＳ固体撮像素子の特徴である撮像結果の読み出しに係る高い自由度を有効に利用して、全体構成を一段と簡略化するようになされている。
【００４７】
より具体的に、この撮像装置１では、画像圧縮部５における処理単位がライン単位に設定されて、いわゆるラインベース型ウエーブレット変換処理によりライン単位でウエーブレット変換されて画像データがデータ圧縮処理され、またこれにより撮像素子３からライン単位により撮像結果を出力し、これにより撮像結果の読み出しに係る高い自由度を有効に利用して、全体構成を簡略化するようになされている。
【００４８】
撮像装置１では、このようにして撮像結果を出力する撮像素子３と、この撮像素子３による撮像結果を処理する周辺回路である画像圧縮部５とを、アナログディジタル変換回路４と共に集積回路により一体化して構成され、これにより全体構成を小型化し、さらには構成を簡略化するようになされている。
【００４９】
しかしながら単にＣＭＯＳプロセスにより撮像素子と周辺回路とを一体化したのでは、撮像素子、周辺回路に係る配線パターンにより、種々の不具合が発生し、これにより撮像結果の読み出しに係る高い自由度を十分に発揮できなくなる。このためこの実施例においては、撮像手段の受光面とは逆側の面に配線層が形成されて、この配線層により撮像手段を構成する光電変換部と周辺回路とが接続されて一体に保持され、これにより撮像結果の読み出しに係る高い自由度を十分に確保できるように集積回路を構成して、撮像結果の読み出しに係る高い自由度を有効に利用して全体構成を簡略化することができるようになされている。
【００５０】
（３）実施例の効果
以上の構成によれば、撮像手段の撮像面とは逆側の面に形成された配線層により撮像手段と画像圧縮手段とを接続して一体化するようにして、撮像手段から画像圧縮処理に係る処理単位により順次撮像結果を出力することにより、ＣＭＯＳ固体撮像素子の特徴である撮像結果の読み出しに係る高い自由度を有効に利用して、全体構成を一段と簡略化することができる。
【００５１】
またこの画像圧縮処理が、ウエーブレット変換処理により、ライン単位で撮像結果をデータ圧縮する処理であるのに対し、ライン順次により複数の光電変換部による撮像結果を撮像素子から出力することにより、ＣＭＯＳ固体撮像素子の特徴である撮像結果の読み出しに係る高い自由度を有効に利用して、全体構成を一段と簡略化することができる。
【実施例２】
【００５２】
この実施例においては、実施例１について上述した撮像装置１において、ラインベース型ウエーブレット変換処理に代えて、タイルベース型ウエーブレット変換処理によりデータ圧縮する。これによりこの実施例に係る撮像装置においては、このウエーブレット変換部６、ウエーブレット変換部６に関連する構成が異なる点を除いて、実施例１に係る撮像装置１と同一に構成される。これにより以下の説明においては、図１を流用して実施例を説明し、またこの説明において、実施例１に係る撮像装置１と同一の構成については、重複した説明を省略する。
【００５３】
すなわちこの撮像装置において、ウエーブレット変換部６は、図６に示すように、撮像結果による画像を水平方向及び垂直方向にそれぞれ所定の分割数により分割したブロックであるタイルＴ０、Ｔ１、Ｔ２、……を処理単位に設定して、順次、ラスタ走査の順序によりタイルＴ０、Ｔ１、Ｔ２、……単位で画像データＤ１を入力してウエーブレット変換処理し、量子化部８は、このウエーブレット変換部６よりタイル単位で順次出力される変換係数データを順次量子化処理する。また続くエントロピー符号化部９は、同様のタイル単位により順次出力される量子化部８の出力データをエントロピー符号化処理し、レート制御部１０は、このエントロピー符号化部９の出力データをレート制御して出力する。
【００５４】
なおこのタイルを単位にしたウエーブレット変換処理においては、２次元のフィルタにより帯域制限、ダウンサンプリングすることにより、実行される。これによりタイルベース型ウエーブレット変換処理においては、ラインベース型ウエーブレット変換処理に比して、各分割処理の入力段に設けるバッファメモリの容量を小さくすることができるようになされている。
【００５５】
これによりこの撮像装置において、画像圧縮部５は、タイルを処理単位にしてデータ圧縮の処理を実行するようになされ、これに対応して撮像素子３は、タイル単位により順次各光電変換部による撮像結果を出力するようになされている。
【００５６】
この実施例２の構成によれば、撮像手段の撮像面とは逆側の面に形成された配線層により撮像手段と画像圧縮手段とを接続して一体化するようにして、撮像手段から画像圧縮処理に係る処理単位により順次撮像結果を出力するようにし、画像圧縮手段によるデータ圧縮処理をタイル単位によるウエーブレット変換処理に適用して、撮像素子からタイル単位で撮像結果を出力することにより、タイル単位により画像データを処理する場合にあっても、ＣＭＯＳ固体撮像素子等の撮像素子の特徴である撮像結果の読み出しに係る高い自由度を有効に利用して、全体構成を一段と簡略化することができる。
【実施例３】
【００５７】
図７は、本発明の実施例３に係る撮像装置に適用される集積回路の一部を示す斜視図である。この実施例においては、この集積回路により実施例１、２に係る撮像装置を構成する。なおこの集積回路６１において、実施例１について上述した集積回路５１と同一の構成は、対応する符号を付して示し、重複した説明は省略する。
【００５８】
ここでこの集積回路６１は、撮像素子３と周辺回路とを一体化して形成され、この周辺回路が実施例１、２に係る周辺回路と同一に形成され、これによりこの実施例に係る撮像装置においては、全体構成を簡略化するようになされている。
【００５９】
この集積回路６１は、周辺回路部に撮像素子部を積層して形成され、周辺回路部は、所定の半導体素子製造プロセスにより、半導体基板６２上に周辺回路を構成する半導体素子を形成した後、これら半導体素子の上層に配線層６３を形成してこれら半導体素子を接続することにより形成されるようになされている。周辺回路部は、この配線層６３の表層に撮像素子部との接続用の電極等が形成される。
【００６０】
撮像素子部は、実施例１について上述したと同様に、光電変換部（画素部）をマトリックス状に配置して形成され、１０〜２０〔μｍ〕程度の厚さのシリコン（Ｓｉ）層により素子層５２が形成される。撮像素子部は、この素子層５２に、画素単位の光電変換処理に係るフォトダイオードが形成される。
【００６１】
撮像素子部は、この素子層５２の上層に、順次、シリコン酸化膜、遮光膜、シリコン窒化膜、色フィルタＡ２７、マイクロレンズ５８が積層されて撮像面が形成されるのに対し、素子層５２の下層に、配線層５９が形成される。撮像素子部は、この配線層５９の下層側に周辺回路部が設けられ、周辺回路部の配線層６３と配線層５９とが接続されて撮像素子と周辺回路とが一体に集積回路化されるようになされている。
【００６２】
これにより集積回路６１は、受光面とは逆側に配線層５９が設けられるようになされ、配線層５９を受光面側に設ける場合の種々の不具合を一挙に解決して配線の自由度を格段的に向上するようになされている。またこのように受光面とは逆側に形成された配線層５９を介して周辺回路を形成してなる周辺回路部と一体化されることにより、撮像素子部と周辺回路部とを異なるウエハプロセスにより作成して一体化できるようになされ、その分、撮像素子部と周辺回路部とをそれぞれに適したウエハプロセスにより作成して、全体として各種の性能を向上できるようになされている。
【００６３】
具体的に、周辺回路を形成してなる周辺回路部においては、各半導体素子、配線パターン幅を小さくして高密度に形成することにより、チップサイズを小型化して消費電力を削減することができる。しかしながら撮像素子部においては、画素サイズを小さくすると、その分、感度が低下し、また画素数に応じてチップ面積も大きくなる。これによりこの実施例のように撮像素子部と周辺回路部とを異なるウエハプロセスにより作成して一体化する場合にあっては、撮像素子部、周辺回路部の各々に適したウエハプロセスにより作成することができ、その分、全体としての性能を向上することができる。
【００６４】
なおこのように受光面とは逆側に形成された配線層５９を介して周辺回路を形成してなる周辺回路部と一体化されることにより、この集積回路６１は、実施例１について上述したと同様にして、厚さの薄い半導体基板を配線層５９側より処理してフォトダイオードを形成した後、この半導体基板に配線層５９を形成し、別工程により作成された周辺回路部が積層される。その後、集積回路６１は、この半導体基板を裏返してＣＭＰにより研磨して素子層５２が完成し、遮光膜、色フィルタＡ２７、マイクロレンズ５８等を順次形成して作成されるようになされている。
【００６５】
このような異なるウエハプロセスによる半導体基板の積層による集積回路６１においては、図８（Ａ）に示すように、各画素出力を同時並列的に周辺回路に出力してアナログディジタル変換処理するように、撮像素子部と周辺回路との接続を構成することができる。またこれに代えて、図８（Ｂ）に示すように、コラム線を単位にして同時並列的に撮像結果を出力して周辺回路で処理することもでき、また図８（Ｃ）に示すように、ラインを単位にして同時並列的に撮像結果を出力して周辺回路で処理することもでき、これらにより格段的に撮像素子出力の自由度を一段と向上することができるようになされている。
【００６６】
これにより図９（Ａ）に示すように、集積回路６１においては、ライン単位による出力であるライン順次により、また図９（Ｂ）に示すように、コラム線を単位にした順序により撮像結果を出力するように、撮像素子部と周辺回路部とを接続することができ、また図９（Ｃ）に示すように、ブロックを単位にして撮像結果を出力するように、撮像素子部と周辺回路部とを接続することができるようになされている。
【００６７】
しかしてこの実施例に係る撮像装置において、実施例１について上述したライン単位による処理による撮像装置においては、図８（Ａ）〜（Ｄ）の接続のうちの対応する接続により撮像結果を周辺回路に入力するようになされている。
【００６８】
さらにこの実施例において、集積回路６１は、このような接続により撮像結果を同時並列的に複数系統により周辺回路に出力し、周辺回路においては、データ圧縮処理に係る画像圧縮部８が３系統の処理回路Ｃ１〜Ｃ３（図７）により形成されて、これら３系統の処理回路Ｃ１〜Ｃ３により複数系統による画像データを同時並列的に処理するようになされている。
【００６９】
この実施例においては、周辺回路を、撮像手段とは異なるウエハ処理プロセスにより形成することにより、撮像素子部と周辺回路部とをそれぞれに適したウエハプロセスにより作成して、種々の性能を向上するようになされている。
【実施例４】
【００７０】
図１０は、図１との対比により本発明の実施例４に係る撮像装置を示すブロック図である。この撮像装置７１において、図１について上述した撮像装置１と同一の構成は、対応する符号を付して重複した説明は省略する。この撮像装置７１は、実施例１又は実施例３について上述したと同様の集積回路化により、撮像素子７３が、この撮像素子７３の駆動回路、アナログディジタル変換回路４、画像圧縮部７５による周辺回路と共に一体化されて集積回路により構成され、これにより種々の形態により撮像結果を周辺回路に出力できるように構成して、全体構成を簡略化、小型化できるようになされている。
【００７１】
しかして撮像素子７３は、ＣＭＯＳ固体撮像素子により構成され、図示しない駆動回路による駆動により、図１１に示すように有効画像領域ＡＲによる撮像結果を画像圧縮部７５の処理単位により順次出力し、これにより撮像信号Ｓ１を出力する。この処理において、撮像素子７３は、各フレーム間で、この有効画像領域ＡＲの一部領域ＡＲＡ〜ＡＲＥの撮像結果を事前に出力するようになされている。この実施例において、この一部領域ＡＲＡ〜ＡＲＥは、矩形の領域により複数個設定され、さらにこれら複数個の領域が有効画像領域ＡＲの中央の領域ＡＲＣ、４隅の領域ＡＲＡ、ＡＲＢ、ＡＲＤ、ＡＲＥに設定されるようになされ、これによりこれら有効画像領域ＡＲに設定された一部領域ＡＲＡ〜ＡＲＥにより、有効画像領域ＡＲ全体のデータ圧縮に要する処理を大まかに把握できるようになされている。
【００７２】
画像圧縮部７５は、このようにして得られる一部領域ＡＲＡ〜ＡＲＥの撮像結果をデータ圧縮して符号量を検出し、この検出した符号量に基づいたデータ圧縮率により、撮像素子７３の撮像結果をデータ圧縮する。すなわちこの画像圧縮部７５において、特定領域画像圧縮部７６は、一部領域ＡＲＡ〜ＡＲＥに係る画像データＤ１をデータ圧縮し、その発生符号量を符号量割り当て制御部７７に通知し、符号量割り当て制御部７７は、この発生符号量に基づいて、有効画像領域ＡＲ全体で発生する符号量を予測し、この予測結果によりデータ圧縮率を決定する。なおこの実施例において、特定領域画像圧縮部７６は、この一部領域ＡＲＡ〜ＡＲＥをタイルに相当する処理単位に設定してなるウエーブレット変換処理により、又はこの一部領域ＡＲＡ〜ＡＲＥを１つ又は複数のマクロブロックに設定してなるＭＰＥＧ２によりデータ圧縮するようになされているものの、このデータ圧縮手法においては、種々の手法を広く適用することができる。
【００７３】
画像圧縮部７８は、この符号量割り当て制御部７７によるデータ圧縮率に応じて量子化スケールを可変して、有効画像領域ＡＲによる画像データＤ１をデータ圧縮して出力し、レート制御部７９は、この画像圧縮部７８にダミデータを介挿する等によりレート制御の処理を実行して符号化データＤ２を出力する。なおここでこの実施例において、画像圧縮部７８は、特定領域画像圧縮部７６と同一のデータ圧縮手法によりデータ圧縮の処理を実行するようになされているものの、実用上十分にレート制御できる場合にあっては、特定領域画像圧縮部７６と異なるデータ圧縮手法により画像データをデータ圧縮するようにしてもよい。
【００７４】
これらによりこの実施例においては、ＣＭＯＳ固体撮像素子等の撮像素子の特徴である撮像結果の読み出しに係る高い自由度を有効に利用して、事前に、有効画像領域の一部領域でデータ圧縮処理による発生符号量を検出し、この発生符号量によりデータ圧縮率を可変して全体の撮像結果をデータ圧縮処理するようになされ、これらにより適切にデータ圧縮率を設定して従来に比してより適切にレート制御することができるようになされている。
【００７５】
すなわちこの一部領域による発生符号量をＴＳとおき、画像全体の目標符号量をＴＡＬＬとおくと、残りの領域に割り当て可能な符号量ＴＥは、ＴＡＬＬ−ＴＳにより表すことができる。これにより残りの領域をデータ圧縮して発生する符号量をＴＲと置くと、余分な符号量ＴＥｘｔａを（ＴＲ＋ＴＳ）−ＴＡＬＬにより表すことができ、この余分な符号量ＴＥｘｔａを全体に分配するようにデータ圧縮率を設定すれば、目標符号量によりデータ圧縮処理することができ、残りの領域をデータ圧縮して発生する符号量ＴＲを事前のデータ圧縮により発生する符号量ＴＳにより予測して適切にデータ圧縮処理することができる。
【００７６】
符号量割り当て制御部７７、レート制御部７９は、このような事前の符号化処理による発生符号量により画像圧縮部７８のデータ圧縮率を可変してレート制御の処理を実行する。
【００７７】
これらによりこの実施例においては、事前に、有効画像領域の一部領域でデータ圧縮処理による発生符号量を検出し、この発生符号量によりデータ圧縮率を可変して撮像結果をデータ圧縮処理することにより、ＣＭＯＳ固体撮像素子の特徴である撮像結果の読み出しに係る高い自由度を有効に利用して、従来に比して簡易な処理により、より適切にレート制御することができるようになされている。
【００７８】
またこの事前に検出した符号量に基づいたデータ圧縮率による撮像結果のデータ圧縮を、有効画像領域による撮像結果のデータ圧縮に適用することにより、実用上十分にレート制御できる場合にあっては、事前の処理に係るデータ圧縮手法とは異なるデータ圧縮手法により画像データをデータ圧縮することができ、これにより種々のデータ圧縮手法によりデータ圧縮する場合に広く適用することができる。
【００７９】
具体的に、データ圧縮率に対応する量子化スケールにより係数データを量子化処理する場合に適用して、簡易な処理によりレート制御することができる。
【００８０】
またこのような事前の処理に係るデータ圧縮とは別に改めて有効画像領域についてデータ圧縮することにより、実用上十分にレート制御できる場合にあっては、事前の処理に係るデータ圧縮手法とは異なるデータ圧縮手法により画像データをデータ圧縮することができ、これにより種々のデータ圧縮手法によりデータ圧縮する場合に広く適用することができる。
【００８１】
またこのような事前の処理に係るデータ圧縮手段と、この事前の処理によるデータ圧縮率によるデータ圧縮手段とを別系統により有することによっても、事前の処理に係るデータ圧縮手法とは異なるデータ圧縮手法により画像データをデータ圧縮することができ、これにより種々のデータ圧縮手法によりデータ圧縮する場合に広く適用することができる。
【００８２】
しかしてこれらの構成において、撮像手段による受光面とは逆側の面に形成された配線層によりこの配線層の下層に配置された周辺回路と接続することにより、事前に撮像手段から一部撮像結果を取得して発生符号量を検出して改めて符号化処理する場合にも、これら一連の処理に適するように撮像手段から周辺回路に撮像結果を出力することができる。
【００８３】
またこのようにして、周辺回路を、撮像手段とは異なるウエハ処理プロセスにより形成することにより、撮像素子部と周辺回路部とをそれぞれに適したウエハプロセスにより作成して、全体として各種の性能を向上するようになされている。
【実施例５】
【００８４】
この実施例においては、実施例４の構成において、事前のデータ圧縮処理により検出した発生符号量により、残りの領域に係る発生符号量を制御してレート制御の処理を実行する。これにより撮像素子７３は、事前のデータ圧縮処理に続いて、一部領域ＡＲＡ〜ＡＲＥを除く有効画像領域ＡＲの撮像結果を出力し、符号量割り当て制御部７７にあっては、この一部領域ＡＲＡ〜ＡＲＥを除く有効画像領域ＡＲの撮像結果について、画像圧縮部７８のデータ圧縮処理に係る量子化スケールを制御する。また撮像装置は、事前のデータ圧縮処理による符号化データを、この画像圧縮部７８のデータ圧縮処理による符号化データと共に出力する。
【００８５】
またこのようなこの一部領域ＡＲＡ〜ＡＲＥを除く有効画像領域ＡＲの撮像結果に係るデータ圧縮処理による発生符号量により、続く事前の処理に係る特定領域画像圧縮部７６における量子化スケールを制御する。なおこれらによりこの実施例において、特定領域画像圧縮部７６と画像圧縮部７８とは同一の手法により画像データＤ１をデータ圧縮する。
【００８６】
この実施例においては、これら画像データＤ１の処理に係る構成が異なる点を除いて、実施例４に係る撮像装置と同一に構成される。
【００８７】
この実施例によれば、事前に、有効画像領域の一部領域でデータ圧縮処理による発生符号量を検出し、この発生符号量によりデータ圧縮率を可変して撮像結果をデータ圧縮処理するようにして、この検出した符号量に基づいたデータ圧縮率による撮像結果のデータ圧縮を、事前の処理に係る一部領域を除く領域による撮像結果のデータ圧縮に適用するようにしても、実施例４と同様の効果の得ることができる。
【実施例６】
【００８８】
この実施例においては、実施例４又は実施例５の構成において、ユーザーにより選択される撮影モードに応じて、事前の処理に係る一部領域を変更する。なおこの実施例においては、この事前の処理に係る一部領域に関する処理が異なる点を除いて、実施例４又は実施例５の撮像装置と同一に構成される。
【００８９】
ここでこの実施例においては、このユーザーによる選択される撮影モードにおいて、最も重要とされる箇所が、事前の発生符号量を検出する領域に設定される。また最も重要とされる箇所を基準にして各部に適切に符号量を配分するように、この事前に検出された発生符号量による有効画像領域のデータ圧縮に係るデータ圧縮率が、撮影モードに応じて切り換えられる。
【００９０】
すなわち例えばユーザーにより選択された撮影モードが人物撮影モードの場合、人物に係る撮像結果が重要であり、この場合有効画像領域の中央に人物が位置する場合が多いことにより、この場合、事前の発生符号量を検出する領域を画面中央に設定する。またこの場合、この人物の背景、近景にあっては、人物ほど重要でないことにより、有効画像領域の周辺に比して中央側で符号量が多くなるように、事前に検出された発生符号量により有効画像領域のデータ圧縮に係るデータ圧縮率を設定する。
【００９１】
これに対して例えばユーザーにより選択された撮影モードが風景モードの場合、有効画像領域のほぼ全部が重要であることにより、事前の発生符号量を検出する領域を、図１１について上述したように、有効画像領域の中央及び周辺の複数箇所に設定する。またこの場合、有効画像領域の全面でほぼ等しいデータ圧縮率になるように、事前に検出された発生符号量により有効画像領域のデータ圧縮に係るデータ圧縮率を設定する。
【００９２】
なおこの実施例においては、全体の動作を制御する演算処理手段であるシステムコントローラにより、ユーザーによる撮影モードの選択に応じて、撮像素子３より出力される撮像結果、画像圧縮手段の動作を制御してこれら一連の処理が実行される。
【００９３】
この実施例のように、事前に検出した発生符号量によるデータ圧縮率の設定を撮影モードにより切り換えることにより、さらには撮影モードにより事前に発生符号量を検出する領域を切り換えることにより、一段と適切にレート制御することができる。
【実施例７】
【００９４】
この実施例においては、実施例６に係る撮影モードに応じて最も重要とされる一部領域が、撮影モードに応じて、撮像結果の色分布により自動的に設定される。なおこの実施例においては、この一部領域の自動設定に係る処理が異なる点を除いて、実施例６について上述した撮像装置と同一に構成される。
【００９５】
すなわちこの実施例において、ユーザーにより人物撮影モードが選択されると、１フレーム前の撮像結果により肌色の部分が検出され、この肌色の部分を含むように、又はこの肌色の部分の内側に、事前のデータ圧縮処理に係る一部領域を設定する。
【００９６】
これに対してユーザーにより接写モードが選択されると、この場合、同様の１フレーム前の撮像結果より画面中央、暖色の色相に係る領域を検出し、この領域を含むように、又はこの領域の内側に、事前のデータ圧縮処理に係る一部領域を設定する。
【００９７】
この実施例のように、撮像結果の色分布により事前の発生符号量の検出に供する領域を設定すれば、一段と適切にレート制御の処理を実行することができる。
【００９８】
またこの領域の設定を撮影モードに応じて切り換えることによっても、一段と適切にレート制御することができる。
【実施例８】
【００９９】
なお上述の実施例４〜７においては、事前のデータ圧縮処理を別系統により実行する場合について述べたが、本発明はこれに限らず、本来のデータ圧縮処理の系統により実行するようにしてもよい。
【０１００】
また上述の実施例においては、撮像手段にＣＭＯＳ固体撮像素子を適用する場合について述べたが、本発明はこれに限らず、ＸＹアドレス制御による種々の撮像素子を広く適用することができる。
【産業上の利用可能性】
【０１０１】
本発明は、動画による撮像結果を記録するビデオカメラ、電子スチルカメラ、監視装置等に適用することができる。
【符号の説明】
【０１０２】
１、７１……撮像装置、３、７３……撮像素子、４……アナログディジタル変換回路、５、７５、７８……画像圧縮部、６……ウエーブレット変換部、８……量子化部、９……エントロピー符号化部、１０、７９……レート制御部、７６……特定領域画像圧縮部、７７……符号割り当て制御部、５１、６１……集積回路
【図１】
2010252396.tif 000003
【図２】
2010252396.tif 000004
【図３】
2010252396.tif 000005
【図４】
2010252396.tif 000006
【図５】
2010252396.tif 000007
【図６】
2010252396.tif 000008
【図７】
2010252396.tif 000009
【図８】
2010252396.tif 000010
【図９】
2010252396.tif 000011
【図１０】
2010252396.tif 000012
【図１１】
2010252396.tif 000013
【図１２】
2010252396.tif 000014
【図１３】
2010252396.tif 000015
【図１４】
2010252396.tif 000016
【図１５】
2010252396.tif 000017